(57)【要約】【課題】老朽化したハードウエアの更改について、トータルコストの分析を多大な工数と時間を要せずに行うこと。【解決手段】データ処理装置２は、旧装置のスペック情報を最新の装置スペックに変換して仮想化マシン上に物理的に統合できる台数を算出し、旧装置の台数での年間維持コストと仮想化で統合時の年間維持コストをシミュレーションして表示する。【選択図】図１
2008192071.tif 000002
【特許請求の範囲】
【請求項１】
旧装置のスペック情報を最新の装置スペックに変換して仮想化マシン上に物理的に統合できる台数を算出し、旧装置の台数での年間維持コストと仮想化で統合時の年間維持コストをシミュレーションして表示することを特徴とするコストシミュレーションシステム。
【請求項２】
データ処理装置は、入力装置から入れ替え対象となるサーバの導入年度情報、及びリソースの使用率に関する情報を受け取り、この情報に基づいて既存サーバリソース使用率の変換手段は、先頭のサーバから順番にサーバスペックデータ部のサーバの導入年度に該当するサーバスペックを抽出し、リソース使用率を必要リソース量に変換し、
新サーバリソース使用率への変換手段は、前記サーバスペックデータ部から現在のサーバスペック情報を読み出して、リソース使用量を新サーバでのリソース使用率に変換し、
サーバ台数分析手段は、変換されたリソース使用率と仮想化によるオーバーヘッドのリソースを加算して、１００％を超えないような最小台数の組み合わせを計算し、
手段統合前コストの算出手段は、コスト関連データ部から統合前のサーバ１台あたりの維持・管理コストに関連するハードウエア費用・ソフトウエア費用・ファシリティ費用・運用管理費用、一時費用などを読み出して統合前のトータルコストを算出し、
統合後コストの算出手段は、前記コスト関連データ部から統合後のサーバ１台あたりの維持・管理コストに関連するハードウエア費用・ソフトウエア費用・ファシリティ費用・運用管理費用、一時費用などを読み出して統合後のトータルコストを算出し、
単純置換コストの算出手段は、前記コスト関連データ部からサーバ統合を行わずに単純にサーバを置き換えた場合の維持・管理コストに関連するハードウエア費用・ソフトウエア費用・ファシリティ費用・運用管理費用、一時費用などを読み出して単純置換時のトータルコストを算出し、
コスト効果の算出手段は、統合前後のサーバ数の変化とコスト推移と単純置換を実施した場合のコスト推移をグラフとして出力することを特徴とするコストシミュレーションシステム。
【請求項３】
複数年度に渡って前記統合を実施する場合、統合対象となる装置を年度単位にグルーピングして前記シミュレーションをすることを特徴とする請求項１または２記載のコストシミュレーションシステム。
【請求項４】
旧装置のスペック情報を最新の装置スペックに変換して仮想化マシン上に物理的に統合できる台数を算出し、旧装置の台数での年間維持コストと仮想化で統合時の年間維持コストをシミュレーションして表示することを特徴とするコストシミュレーション方法。
【請求項５】
データ処理装置が、入力装置から入れ替え対象となるサーバの導入年度情報、及びリソースの使用率に関する情報を受け取り、この情報に基づいて既存サーバリソース使用率の変換手段が、先頭のサーバから順番にサーバスペックデータ部のサーバの導入年度に該当するサーバスペックを抽出し、リソース使用率を必要リソース量に変換し、
新サーバリソース使用率への変換手段が、前記サーバスペックデータ部から現在のサーバスペック情報を読み出して、リソース使用量を新サーバでのリソース使用率に変換し、
サーバ台数分析手段が、変換されたリソース使用率と仮想化によるオーバーヘッドのリソースを加算して、１００％を超えないような最小台数の組み合わせを計算し、
手段統合前コストの算出手段が、コスト関連データ部から統合前のサーバ１台あたりの維持・管理コストに関連するハードウエア費用・ソフトウエア費用・ファシリティ費用・運用管理費用、一時費用などを読み出して統合前のトータルコストを算出し、
統合後コストの算出手段が、前記コスト関連データ部から統合後のサーバ１台あたりの維持・管理コストに関連するハードウエア費用・ソフトウエア費用・ファシリティ費用・運用管理費用、一時費用などを読み出して統合後のトータルコストを算出し、
単純置換コストの算出手段が、前記コスト関連データ部からサーバ統合を行わずに単純にサーバを置き換えた場合の維持・管理コストに関連するハードウエア費用・ソフトウエア費用・ファシリティ費用・運用管理費用、一時費用などを読み出して単純置換時のトータルコストを算出し、
コスト効果の算出手段が、統合前後のサーバ数の変化とコスト推移と単純置換を実施した場合のコスト推移をグラフとして出力することを特徴とするコストシミュレーション方法。
【請求項６】
複数年度に渡って前記統合を実施する場合、統合対象となる装置を年度単位にグルーピングして前記シミュレーションをすることを特徴とする請求項４または５記載のコストシミュレーション方法。
【請求項７】
コンピュータシステムに請求項１から３のいずれか１項に記載の機能を実現させることを特徴とするプログラム。
【発明の詳細な説明】
【技術分野】
【０００１】
本発明は、仮想化技術を用いることによって複数装置を１つの装置筐体に統合した場合でのコスト効果を比較する技術に関する。
【背景技術】
【０００２】
従来は新しいサーバに置き換える場合と、仮想化技術を用いたサーバ統合を実施する場合でのコスト比較を行う場合、サーバ統合案を作成するために多くの情報を収集・分析する必要があり、かつ、この作業は属人的に手作業で実施されていた。
【０００３】
ここで、コンピュータシステムを構成する機器毎に処理能力の実績値と予め設定された処理能力の必要条件とを比較して、実績値が必要条件を満たしていない機器に対して必要条件を満たす上位機器と、実績値が必要条件を満たしている機器に対してダウングレードさせても必要条件を満たす下位機器を特定し、下位機器に対して処理能力の必要条件を満たしている割合である充足率を算出し、上位機器を導入するために要する金額が予め設定された予算条件を満たしていない場合には、下位機器のうち前記充足率の高いものから順番にダウングレードさせた場合の現状機器との差額金額を算出していき、差額金額が金額より大きいか等しくなった場合のコンピュータシステムを構成する機器の見積もりを出力することで、コンピュータに顧客の予算確保状況に応じたコンピュータシステムの機器見積機能を実現させることができる技術が提案されている（例えば、特許文献１参照）。
【特許文献１】特開２００６−２７７３９２号公報
【発明の開示】
【発明が解決しようとする課題】
【０００４】
しかしながら、従来の技術では、コスト比較結果を得るまでに時間がかかり、どちらの方式を採用すべきかの判断が長期化してしまうといった問題があった。
【０００５】
本発明は、以上説明した問題点を解決するためになされたものである。その目的は、老朽化したハードウエアの更改の提案案件があったときに、単純に装置を置き換えるか仮想化技術を用いて装置統合するかの方式を決定するにあたりトータルコストが決定ポイントとなるがその分析を多大な工数と時間を要せずに行うことである。
【課題を解決するための手段】
【０００６】
本発明は、旧装置のスペック情報を最新の装置スペックに変換して仮想化マシン上に物理的に統合できる台数を算出し、旧装置の台数での年間維持コストと仮想化で統合時の年間維持コストをシミュレーションして表示するコストシミュレーションシステムを提供する。
【０００７】
また、本発明は、データ処理装置は、入力装置から入れ替え対象となるサーバの導入年度情報、及びリソースの使用率に関する情報を受け取り、この情報に基づいて既存サーバリソース使用率の変換手段は、先頭のサーバから順番にサーバスペックデータ部のサーバの導入年度に該当するサーバスペックを抽出し、リソース使用率を必要リソース量に変換し、
新サーバリソース使用率への変換手段は、前記サーバスペックデータ部から現在のサーバスペック情報を読み出して、リソース使用量を新サーバでのリソース使用率に変換し、
サーバ台数分析手段は、変換されたリソース使用率と仮想化によるオーバーヘッドのリソースを加算して、１００％を超えないような最小台数の組み合わせを計算し、
手段統合前コストの算出手段は、コスト関連データ部から統合前のサーバ１台あたりの維持・管理コストに関連するハードウエア費用・ソフトウエア費用・ファシリティ費用・運用管理費用、一時費用などを読み出して統合前のトータルコストを算出し、
統合後コストの算出手段は、前記コスト関連データ部から統合後のサーバ１台あたりの維持・管理コストに関連するハードウエア費用・ソフトウエア費用・ファシリティ費用・運用管理費用、一時費用などを読み出して統合後のトータルコストを算出し、
単純置換コストの算出手段は、前記コスト関連データ部からサーバ統合を行わずに単純にサーバを置き換えた場合の維持・管理コストに関連するハードウエア費用・ソフトウエア費用・ファシリティ費用・運用管理費用、一時費用などを読み出して単純置換時のトータルコストを算出し、
コスト効果の算出手段は、統合前後のサーバ数の変化とコスト推移と単純置換を実施した場合のコスト推移をグラフとして出力するコストシミュレーションシステムを提供する。
【０００８】
また、本発明は、旧装置のスペック情報を最新の装置スペックに変換して仮想化マシン上に物理的に統合できる台数を算出し、旧装置の台数での年間維持コストと仮想化で統合時の年間維持コストをシミュレーションして表示するコストシミュレーション方法を提供する。
【０００９】
また、本発明は、データ処理装置が、入力装置から入れ替え対象となるサーバの導入年度情報、及びリソースの使用率に関する情報を受け取り、この情報に基づいて既存サーバリソース使用率の変換手段が、先頭のサーバから順番にサーバスペックデータ部のサーバの導入年度に該当するサーバスペックを抽出し、リソース使用率を必要リソース量に変換し、
新サーバリソース使用率への変換手段が、前記サーバスペックデータ部から現在のサーバスペック情報を読み出して、リソース使用量を新サーバでのリソース使用率に変換し、
サーバ台数分析手段が、変換されたリソース使用率と仮想化によるオーバーヘッドのリソースを加算して、１００％を超えないような最小台数の組み合わせを計算し、
手段統合前コストの算出手段が、コスト関連データ部から統合前のサーバ１台あたりの維持・管理コストに関連するハードウエア費用・ソフトウエア費用・ファシリティ費用・運用管理費用、一時費用などを読み出して統合前のトータルコストを算出し、
統合後コストの算出手段が、前記コスト関連データ部から統合後のサーバ１台あたりの維持・管理コストに関連するハードウエア費用・ソフトウエア費用・ファシリティ費用・運用管理費用、一時費用などを読み出して統合後のトータルコストを算出し、
単純置換コストの算出手段が、前記コスト関連データ部からサーバ統合を行わずに単純にサーバを置き換えた場合の維持・管理コストに関連するハードウエア費用・ソフトウエア費用・ファシリティ費用・運用管理費用、一時費用などを読み出して単純置換時のトータルコストを算出し、
コスト効果の算出手段が、統合前後のサーバ数の変化とコスト推移と単純置換を実施した場合のコスト推移をグラフとして出力するコストシミュレーション方法を提供する。
【発明の効果】
【００１０】
本発明によれば、老朽化したハードウエアの更改の提案案件があったときに、単純に装置を置き換えるか仮想化技術を用いて装置統合するかの方式を決定するにあたりトータルコストが決定ポイントとなるがその分析を多大な工数と時間を要せずに行うことができる。
【発明を実施するための最良の形態】
【００１１】
以下、本発明の第１の実施の形態について図面を参照して詳細に説明する。
【００１２】
図１を参照すると、本実施の形態におけるコストシミュレーションシステムは、調査項目とサーバ基礎情報を読み込むための入力装置１とプラグラムの制御により動作するデータ処理装置２とマスタ情報を記憶する記憶装置３と、ディスプレイ装置や印刷装置等の出力装置４とを含む。
【００１３】
記憶装置３は、サーバスペックデータ部３１とコスト関連データ部３２を備えている。
【００１４】
サーバスペックデータ部３１は、導入年度毎の代表的なサーバスペック情報に当たる性能値をあらかじめ記憶している。
【００１５】
コスト関連データ部３２は、サーバ統合前後のサーバ１台あたりのハードウエア費用・ソフトウエア費用・ファシリティ費用、運用管理費用などの運用・維持コストに関連する情報をあらかじめ記憶している。
【００１６】
データ処理装置２は、既存サーバリソース使用率の変換手段２１と新サーバリソース使用率への変換手段２２とサーバ台数の分析手段２３と統合前コストの算出手段２４と統合後コストの算出手段２５と単純置換コストの算出手段２６とコスト効果の算出手段２７を備えている。
【００１７】
既存サーバリソース使用率の変換手段２１は、サーバスペックデータ部３１のサーバの導入年度に該当するサーバスペックを抽出し、リソース使用率を必要リソース量に変換する。
【００１８】
新サーバリソース使用率への変換手段２２は、サーバスペックデータ部３１から現在のサーバスペック情報を読み出して、リソース使用量を新サーバでのリソース使用率に変換する。
【００１９】
サーバ台数の分析手段２３では、変換されたリソース使用率と仮想化によるオーバーヘッドのリソースを加算して、１００％を超えないような最小台数の組み合わせを計算する。
【００２０】
統合前コストの算出手段２４では、コスト関連データ部３２から統合前のサーバ１台あたりの維持・管理コストに関連するハードウエア費用・ソフトウエア費用・ファシリティ費用・運用管理費用、構築のための一時費用などを読み出して統合前のトータルコストを算出する。
【００２１】
統合後コストの算出手段２５では、コスト関連データ部３２から統合後のサーバ１台あたりの維持・管理コストに関連するハードウエア費用・ソフトウエア費用・ファシリティ費用・運用管理費用、構築のための一時費用などを読み出して統合後のトータルコストを算出する。
【００２２】
単純置換コストの算出手段２６では、コスト関連データ部３２からサーバ統合を行わずに単純にサーバを置き換えた場合の維持・管理コストに関連するハードウエア費用・ソフトウエア費用・ファシリティ費用・運用管理費用、一時費用などを読み出して単純置換時のトータルコストを算出する。
【００２３】
最後にコスト効果の算出手段２７では、統合前後のサーバ数の変化とコスト推移と単純置換を実施した場合のコスト推移をグラフとして出力する。
【００２４】
次に、図１及び図２のフローチャートを参照して本発明の第１の実施の形態の動作について詳細に説明する。
【００２５】
まず、入力装置２から与えられた導入年度に該当するマシンスペックの情報をマシンスペックデータ部３２から読み込んで、入力装置２から入力されたリソースの使用率を掛けあわせ、実際に使っているリソースの使用量に変換する（図２のステップＡ１）。
【００２６】
次に、最新である本年度のサーバマシンスペックをマシンスペックデータ部３２から読み込んで、最新サーバに置換した場合のリソースの使用率に変換する（図２のステップＡ２）。
【００２７】
このステップＡ１、Ａ２の処理を入力されたデータがなくなるまで繰り返す（図２のステップＡ３）。
【００２８】
図２のステップＡ２で変換したリソースの使用率の合計と複数サーバの統合によるオーバーヘッドを加算して、リソースの使用量が１００％を超えないような統合後の最小のサーバ台数を導き出す（図２のステップＡ４）。
【００２９】
次に、コスト関連データ部３２に定義されている統合前のサーバ１台あたりの維持・運用コストを読み込んで統合前の台数と掛け算し、統合前のトータルコストを導き出す（図２のステップＡ６）。
【００３０】
次に、コスト関連データ部３２に定義されている統合後のサーバ１台あたりの維持・運用コストを読み込んで統合後の台数を掛け算し、統合後のトータルコストを導き出す（図２のステップＡ７）。
【００３１】
次に、コスト関連データ部３２に定義されている単純置換時のサーバ１台あたりの維持・運用コストを読み込んで単純置換時の台数を掛け算し、単純置換時のトータルコストを導き出す（図２のステップＡ８）。
【００３２】
最後に、ステップＡ４〜Ａ８の値を年度単位に並べてグラフ化する。
【００３３】
これにより、サーバ統合に関する性能情報のサイジングのノウハウがサーバスペックデータ部３１に、またサーバの運用・維持コストに関するノウハウがコスト関連データ部３２に登録されているため、導入年度とサーバの使用率を入力するのみでコスト効果をグラフとして可視化できる。
【００３４】
上記の本実施の形態によれば、導入年度とサーバの使用率から単純にサーバ置換をする場合と仮想化技術を用いてサーバ統合を行う場合のコスト比較を短時間でグラフ化し可視化できる。その理由は、サーバ統合に関する性能情報のサイジングのノウハウがサーバスペックデータ部３１に、またサーバの運用・維持コストに関するノウハウがコスト関連データ部３２に登録されているため、統合によるサーバ数と連動してコストを算出できるためである。
【００３５】
次に、本発明の第２の実施の形態の構成について図面を参照して詳細に説明する。
【００３６】
図３を参照すると本実施の形態は、図１に示された第１の実施の形態におけるデータ処理装置２の構成に加えて統合年度毎の分類手段２３を有する点で異なる。
【００３７】
統合年度毎の分類手段２３は、複数年度に渡ってサーバ統合作業を実施する場合、統合対象となるサーバを年度単位にグルーピングする。
【００３８】
本実施の形態では、入力装置１で入力するパラメータに統合実施年度の項目を追加して、そのパラメータに従ってグルーピングし、年度単位に統合後のサーバ台数とコスト推移を計算する。
【００３９】
以下、本実施の形態の動作について図面を参照して詳細に説明する。
図４のステップＡ１−Ａ３については、既存サーバリソース使用率の変換手段２１と新サーバリソースへの変換手段２２は図１に示された既存サーバリソース使用率の変換手段２１と新サーバリソースへの変換手段２２の動作と同一のため、重複する説明は省略する。
【００４０】
図１に示された第１の実施の形態では、統合作業実施年度が指定されないため、統合前・統合後のコスト効果として単純に計算処理を実施している。
【００４１】
入力装置１から統合実施年度を与えられると、対象サーバを統合年度単位にグルーピングする（図４ステップＡ４）。
【００４２】
図４のステップ２で変換したリソースの使用率の合計と複数サーバの統合によるオーバーヘッドを加算して、リソースの使用量が各年度単位に１００％を超えないような統合後の最小のサーバ台数を導き出す（図４のステップＡ５）。
【００４３】
次に、コスト関連データ部３２に定義されている統合前のサーバ１台あたりの維持・運用コストを読み込んで統合前の台数と掛け算し、年度単位に統合前のトータルコストを導き出す（図４のステップＡ７）。
【００４４】
次に、コスト関連データ部３２に定義されている統合後のサーバ１台あたりの維持・運用コストを読み込んで統合後の台数を掛け算し、年度単位に統合後のトータルコストを導き出す（図４のステップＡ８）。
【００４５】
次に、コスト関連データ部３２に定義されている単純置換時のサーバ１台あたりの維持・運用コストを読み込んで単純置換時の台数を掛け算し、単純置換時のトータルコストを導き出す（図４のステップＡ９）。
【００４６】
最後に、ステップＡ４〜Ａ９の値を年度単位に並べてグラフ化する。
【００４７】
なお、上述する実施の形態は、本発明の好適な実施の形態であり、本発明の要旨を逸脱しない範囲内において種々変更実施が可能である。例えば、データ処理装置２等の機能を実現するためのプログラムを装置に読込ませて実行することにより装置の機能を実現する処理を行ってもよい。さらに、そのプログラムは、コンピュータ読み取り可能な記録媒体であるＣＤ−ＲＯＭまたは光磁気ディスクなどを介して、または伝送媒体であるインターネット、電話回線などを介して伝送波により他のコンピュータシステムに伝送されてもよい。
【００４８】
本発明によれば、サーバ統合ではなくファイルサーバのような同一機能統合を行う場合のコスト推移分析といった用途に適用できる。
【図面の簡単な説明】
【００４９】
【図１】本発明の第１の実施の形態のシステム構成を示す構成図である。
【図２】本発明の第１の実施の形態の処理動作を示すフローチャートである。
【図３】本発明の第２の実施の形態のシステム構成を示す構成図である。
【図４】本発明の第２の実施の形態の処理動作を示すフローチャートである。
【符号の説明】
【００５０】
１    入力装置
２    データ処理装置
３    記憶装置
４    出力装置
２１    既存サーバリソース使用率の変換手段
２２    新サーバリソース使用率への変換手段
２３    サーバ台数の分析手段
２４    統合前コストの算出手段
２５    統合後コストの算出手段
２６    単純置換コストの算出手段
２７    コスト効果の算出手段
３１    サーバスペックデータ部
３２    コスト関連データ部
【図１】
2008192071.tif 000003
【図２】
2008192071.tif 000004
【図３】
2008192071.tif 000005
【図４】
2008192071.tif 000006